(57)【特許請求の範囲】
【請求項１】
コルゲーションの主要部の形状が、一方の面の側から見た場合と他方の面の側から見た場合とで同一であり、
コルゲーションダンパの中心軸を含む任意の断面において、コルゲーションの主要部における該断面の形状は、該断面に垂直であってコルゲーションの基準面に含まれる軸について回転対称であり、
コルゲーションの形状は、コルゲーションダンパの中心軸を中心とする所定の各径方向位置において、該中心軸を中心とする角度位置の変化に応じ、コルゲーションの基準面に対する高さが周期的かつ徐々に変化するような形状であることを特徴とするコルゲーションダンパ。
【請求項２】
前記周期的変化は、前記角度位置が３６０°変化する間に奇数回生じることを特徴とする請求項１に記載のコルゲーションダンパ。
【請求項３】
前記各径方向位置における周期的変化の位相は、内周側の径方向位置から外周側の径方向位置にかけて、所定の角度位置だけ、一定の角度方向に順次ずれており、又は一致していることを特徴とする請求項２に記載のコルゲーションダンパ。
【請求項４】
コルゲーションダンパの中心軸を含む任意の面におけるコルゲーションの主要部の断面形状として、同一のものは、前記奇数回が１回の場合には存在せず、他の場合には前記奇数回と同数のみが存在することを特徴とする請求項２又は３に記載のコルゲーションダンパ。
【請求項５】
コルゲーションにおいて、コルゲーションの基準面よりも所定の高さ以上高い部分が、コルゲーションダンパの中心軸を中心とする渦巻き状に形成されていることを特徴とする請求項１〜４のいずれか１項に記載のコルゲーションダンパ。
【請求項６】
請求項１〜５のいずれか１項に記載のコルゲーションダンパを複数枚有することを特徴とするスピーカ。
【請求項７】
相互に隣接する前記コルゲーションダンパの各コルゲーションの基準面に対する高さが各対応位置において一致し又は反転していることを特徴とする請求項６に記載のスピーカ。
【請求項８】
請求項３記載のコルゲーションダンパを複数備え、隣接する各コルゲーションダンパは、前記順次のずれの角度方向が同一であり、又は相互に逆であることを特徴とするスピーカ。
【発明の詳細な説明】
【技術分野】
【０００１】
本発明は、コルゲーションダンパ及びこれを有するスピーカに関する。
【背景技術】
【０００２】
従来、スピーカのボイスコイルを保持するダンパとして、蝶ダンパや、コルゲーションダンパが用いられている。蝶ダンパやコルゲーションダンパは、スピーカのフレーム及びボイスコイル間に介在し、該フレーム上でボイスコイルを支持する。
【０００３】
図８は従来の一般的な蝶ダンパの平面図である。この蝶ダンパは、スピーカのボイスコイルに接続される内周部８１、スピーカのフレームに接続される外周部８２、並びに内周部８１及び外周部８２を接続するアーム部８３を備える。スピーカに取り付けられた蝶ダンパは、スピーカの駆動に際し、ボイスコイルを振動可能に支持することにより、ボイスコイルからスピーカの振動板に伝達される振動を正確に維持する。このような蝶ダンパは電子基板などに使われるガラエポ板、ベーク板等を用いて形成される。金属板をプレスにより型抜きしたものや、樹脂により成形されるものも知られている。
【０００４】
図９は従来のコルゲーションダンパの半分を斜め上方から見た様子を示すディスプレイ画面の図である。図１０は従来のコルゲーションダンパにおけるコルゲーション（波型部分）部分の断面図である。コルゲーションはコルゲーションダンパの中心から同心円状に乱れなく広がる表面波のような波形状を有する。つまり、図１０に示すように、波形の各山１０１の高さ（振幅）ｈは、コルゲーションの周方向においては変化することなく常に一定であり、図１０の断面を中心軸の回りに回転させた回転体の形状を有する。したがって、中心軸を含む如何なる面についても対称な形状となっている。
【０００５】
なお、コルゲーションの山の幅、高さ、形状などを、径方向において変化させるようにしたコルゲーションダンパが知られている。たとえば、コルゲーションダンパのスチフネスが内周側から外周側にかけて小さくなるように、コルゲーションの山の高さを内周側から外周側にかけて順次小さくしたり、山の幅を内周側から外周側にかけて順次大きくなるようにしたりしたものが知られている（たとえば、特許文献１参照）。また、コルゲーションダンパにおける径方向単位長さ当たりの柔軟度をほぼ等しくするために、コルゲーションの幅を変更するようにしたものも知られている（たとえば、特許文献２参照）。
【先行技術文献】
【特許文献】
【０００６】
【特許文献１】特開２００１−３２６９９３号公報
【特許文献１】特開平１１−１２７４９７号公報
【発明の概要】
【発明が解決しようとする課題】
【０００７】
しかしながら、一般的なコルゲーションダンパの問題点として、小振幅から大振幅に変化する際のリニアリティが高くないことや、振幅の非対称性による歪の発生、共振による歪の発生によって、スピーカの音質を劣化させているという問題が知られている。振幅のリニアリティに関しては、一般的に、コルゲーションダンパよりも蝶ダンパの方が良好であることが知られている。蝶ダンパは板状の構造を有しているため、機構的に上下方向において同じ特性を有するからである。ただし蝶ダンパには、アーム部のねじれを利用してボイスコイルの上下動を支持するので、極度の大振幅で振動する場合には、アーム部に歪が集中し、破損する恐れが高いという欠点がある。また、同様の理由から、ボイスコイルは周方向に回転しながら上下動するので、このことが、出力音における歪発生の要因となる。
【０００８】
本発明の目的は、かかる従来技術の問題点に鑑み、スピーカの音質をより向上させるコルゲーションダンパを提供することにある。
【課題を解決するための手段】
【０００９】
この目的を達成するため、第１発明に係るコルゲーションダンパは、コルゲーションの主要部の形状が、一方の面の側から見た場合と他方の面の側から見た場合とで同一であり、コルゲーションダンパの中心軸を含む任意の断面において、コルゲーションの主要部における該断面の形状は、該断面に垂直であってコルゲーションの基準面に含まれる軸について回転対称であり、コルゲーションの形状は、コルゲーションダンパの中心軸を中心とする所定の各径方向位置において、該中心軸を中心とする角度位置の変化に応じ、コルゲーションの基準面に対する高さが周期的かつ徐々に変化するような形状であることを特徴とする。
【００１２】
第２発明に係るコルゲーションダンパは、第１発明において、前記周期的変化は、前記角度位置が３６０°変化する間に奇数回生じることを特徴とする。
【００１３】
第３発明に係るコルゲーションダンパは、第２発明において、前記各径方向位置における周期的変化の位相は、内周側の径方向位置から外周側の径方向位置にかけて、所定の角度位置だけ、一定の角度方向に順次ずれており、又は一致していることを特徴とする。
【００１４】
第４発明に係るコルゲーションダンパは、第２又は第３発明において、コルゲーションダンパの中心軸を含む任意の面におけるコルゲーションの主要部の断面形状として、同一のものは、前記奇数回が１回の場合には存在せず、他の場合には前記奇数回と同数のみが存在することを特徴とする。
【００１５】
第５発明に係るコルゲーションダンパは、第１〜第４発明のいずれか１つの発明において、コルゲーションにおいて、コルゲーションの基準面よりも所定の高さ以上高い部分が、コルゲーションダンパの中心軸を中心とする渦巻き状に形成されていることを特徴とする。
【００１６】
第６発明に係るスピーカは、第１〜第５発明のいずれか１つの発明において、コルゲーションダンパを複数枚有することを特徴とする。
【００１７】
第７発明に係るスピーカは、第６発明において、相互に隣接する前記コルゲーションダンパの各コルゲーションの基準面に対する高さが各対応位置において一致し又は反転していることを特徴とする。
【００１８】
第８発明に係るスピーカは、第３発明に係るコルゲーションダンパを複数備え、隣接する各コルゲーションダンパは、前記順次のずれの角度方向が同一であり、又は相互に逆であることを特徴とする。
【発明の効果】
【００１９】
本発明によれば、スピーカの音質をより向上させることができる。
【図面の簡単な説明】
【００２０】
【図１】本発明の第１の実施形態に係るコルゲーションダンパの平面図並びにそのＡ−Ａ線断面図及びＢ−Ｂ線断面図である。
【図２】図１（ｃ）の右半分を拡大した断面図である。
【図３】図１のコルゲーションダンパを半分に切断した一方の部分の斜視図である。
【図４】図３に現れているコルゲーションの断面の図である。
【図５】従来のコルゲーションダンパについて、付与する錘の数を変えながら、外周部に対する内周部の変位を測定した結果を示す図である。
【図６】図１のコルゲーションダンパについて、付与する錘の数を変えながら、外周部に対する内周部の変位を測定した結果を示す図である。
【図７】本発明の第２の実施形態に係るコルゲーションダンパの斜視図である。
【図８】従来の一般的な蝶ダンパの平面図である。
【図９】従来のコルゲーションダンパの半分を斜め上方から見た様子を示すディスプレイ画面の図である。
【図１０】従来のコルゲーションダンパにおけるコルゲーション部分の断面図である。
【発明を実施するための形態】
【００２１】
図１（ａ）は本発明の第１の実施形態に係るコルゲーションダンパの平面図であり、同図（ｂ）及び（ｃ）はそのＡ−Ａ線断面図及びＢ−Ｂ線断面図である。同図において、１はコルゲーションダンパ、２はスピーカの振動板及びボイスコイルボビンを支持する内周部、３はスピーカフレームに固定される外周部、４は内周部２及び外周部３間に介在するコルゲーション（波型の部分）、５はコルゲーション４を構成する山（ここでは、「谷」も逆向きの山と考えて、「山」という。）、６、６ａ及び６ｂは後述するＲ尻線、そして７はコルゲーションダンパ１の中心軸である。コルゲーションダンパ１は、綿布や、ナイロン繊維などを基材とし、熱成形により製造することができる。ポリイミド樹脂などの高分子フィルムを基材とし、熱成形により製造したり、ＡＢＳ樹脂などのいわゆるエンジニアリングプラスチックを材料として、射出成形により製造したりすることもできる。
【００２２】
また、図中のａ１〜ａ４は中心軸７を中心とするコルゲーションダンパ１上の角度位置を示す。角度位置ａ１は図１（ｃ）のＢ−Ｂ線断面図における右側の断面の位置に該当する。角度位置ａ１から反時計回りに９０°変化した角度位置がａ２、さらに９０°進んだ角度位置がａ３、さらに９０°進んだ角度位置がａ４である。
【００２３】
図２は図１（ｃ）の右半分を拡大した断面図である。図中の８はコルゲーションダンパ１における所定の基準面である。ａ、ｂ、・・・、ｒはそれぞれ、コルゲーションダンパ１の中心軸からの距離が一定である位置、すなわち半径方向位置を示す。９はコルゲーション４と内周部２との接続部であり、１０はコルゲーション４と外周部３との接続部である。半径方向位置ａ〜ｒのそれぞれの間の間隔、半径方向位置ａ及び接続部９間の間隔、並びに半径方向位置ｒ及び接続部１０間の間隔はすべて所定の値Ｓであり、一定である。Ｓの値としては、たとえば１．１５［ｍｍ］が該当する。
【００２４】
各半径方向位置ａ〜ｒにおけるコルゲーション４の基準面８に対する高さｈは、中心軸７を中心とする角度位置の変化に応じ、周期的に変化している。すなわち、角度位置ａ１においては、半径方向位置ａ、ｃ、ｅ、ｇ、ｉ、ｋ、ｍ、ｏ、ｑでの高さｈは０［ｍｍ］であり、半径方向位置ｂ、ｆ、ｊ、ｎ、ｒでの高さは＋０．８［ｍｍ］であり、半径方向位置ｄ、ｈ、ｌ、ｐでの高さは−０．８［ｍｍ］である。これらの各半径方向位置ａ〜ｒにおける高さは角度位置の変化に応じて徐々に変化し、角度位置が９０°変化する毎に０．８［ｍｍ］だけ変化する。そして、角度位置が３６０°変化した場合に、１周期分の高さの変化が完了し、各半径方向位置ａ〜ｒ相互間の高さ関係は角度位置ａ１における元の高さ関係に戻る。このことは、中心軸７を含む面によるコルゲーション４の断面形状として、如何なる断面を考えたとしても、等しいものが存在しないことを意味する。
【００２５】
具体的には、角度位置ａ１から始まり、角度位置が反時計回りに９０°変化する毎に、半径方向位置ａ、ｅ、ｉ、ｍ、ｑの高さは、０［ｍｍ］から、＋０．８［ｍｍ］、０［ｍｍ］−０．８［ｍｍ］、０［ｍｍ］のように変化する。半径方向位置ｂ、ｆ、ｊ、ｎ、ｒの高さは、＋０．８［ｍｍ］から、０［ｍｍ］、−０．８［ｍｍ］、０［ｍｍ］、＋０．８［ｍｍ］のように変化する。半径方向位置ｃ、ｇ、ｋ、ｏの高さは０［ｍｍ］から、−０．８［ｍｍ］、０［ｍｍ］、＋０．８［ｍｍ］、０［ｍｍ］のように変化する。半径方向位置ｄ、ｈ、ｌ、ｐの高さは−０．８［ｍｍ］から、０［ｍｍ］、＋０．８［ｍｍ］、０［ｍｍ］−０．８［ｍｍ］のように変化する。
【００２６】
たとえば、半径方向位置ｎについて見てみると、角度位置ａ１において、図２又は図１（ｃ）における右側の断面のように、高さが最も高い＋０．８［ｍｍ］の山を形成しており、半径方向位置ｎに対応するＲ尻線６ａ及び６ｂは、最も間隔が大きくなっている。なお、Ｒ尻線とは、曲率を有する部分（山の頂部近傍）と、有しない部分（頂部から離れた直線的な斜面）との境界線を意味する。図１（ａ）においては、各半径位置ａ〜ｒを中心として生じる曲率について、対応するＲ尻線６が表示されている。
【００２７】
角度位置ａ２においては、図１（ｂ）の上側の断面に現れているように、高さが０［ｍｍ］となり、かつ隣接する半径方向位置ｍ及びｏの高さがそれぞれ＋８［ｍｍ］及び−８［ｍｍ］となるので、半径方向位置ｎでは山が消失してＲ尻線６ａ及び６ｂの間隔は０となる。なお、半径方向位置ｍ及びｏに対応するＲ尻線６の間隔は角度位置ａ２において最大となる。角度位置ａ３においては、半径方向位置ｎの高さは−８［ｍｍ］となり、逆方向に最も高い山となる。対応するＲ尻線６ａ及び６ｂの間隔も最大となる。角度位置ａ４においては、高さが０［ｍｍ］となり、Ｒ尻線６ａ及び６ｂの間隔は０となる。そして、角度位置ａ１の状態に戻る。
【００２８】
角度位置に応じて高さが半径方向位置ｎの場合と同じ位相で変化する半径方向位置ｂ、ｆ、ｊについても、同様にしてＢ−Ｂ線断面（角度位置ａ１及びａ３）において最も高い山を形成し、Ａ−Ａ線断面（角度位置ａ２及びａ４）において山は消失する。他の半径方向位置については、上述した高さの変化に応じ、半径方向位置ｎに対し、９０°進んだ位相、９０°遅れた位相、又は反転した位相で最も高い山を形成し、あるいはその山が消失する。
【００２９】
ただし、半径方向位置ａ及びｒについては、それぞれに隣接する接続部９及び１０の高さが、角度位置に拘らず常に、それぞれ−８［ｍｍ］及び０［ｍｍ］に固定されていることに対応し、他の半径方向位置とは異なる位相で山を形成し、対応するＲ尻線６の間隔の変化も異なったものとなる。
【００３０】
図３はコルゲーションダンパ１を半分に切断した一方の部分の斜視図である。この部分は角度位置ａ４からａ２までの部分である。したがって同図においては、図１（ｂ）のＡ−Ａ線断面図を逆方向から見た断面が現れている。図３中のＡ〜Ｒは、半径方向位置ａ〜ｒに対応するコルゲーションダンパ１上の位置を示すラインである。３１は角度位置ａ１におけるコルゲーションダンパ１上の位置を示すラインである。上述の半径方向位置ｎについて見てみると、ラインＮで示されるように、角度位置ａ４においては、両側の山（ラインＯ）及び逆向きの山（ラインＭ）の間において高さが０［ｍｍ］であり、平面となっていることがわかる。したがって上述のように、対応するＲ尻線の間隔は０である。角度位置ａ４から反時計回りに角度位置が変化するにつれて徐々に高さが高くなり、角度位置ａ１（ライン３１）においては、高さが＋０．８［ｍｍ］の山の頂部となる。角度位置ａ１を過ぎると徐々に高さが低くなり、角度位置ａ２においては再び高さが０［ｍｍ］となる。すなわち、隣のラインＭ部分の山と、ラインＯ部分の逆向きの山との間において平面とななる。
【００３１】
図４（ａ）は図３に現れているコルゲーション４の角度位置ａ２における断面の図であり、図４（ｂ）は図３に現れているコルゲーション４の角度位置ａ４における断面の図である。図４（ｃ）は図４（ｂ）の断面図を、断面に垂直な軸の周りに１８０°回転させた断面図である。図４（ａ）の断面部分を矢印Ｙａ方向（裏側）から見た形と、図４（ｂ）の断面部分を矢印Ｙｂ方向（表側）から見た形とが、内周側の端部４ａを除き、同一であることが、図４（ａ）及び（ｃ）を比較すれば容易に理解できる。同様に、図４（ａ）の断面部分を矢印Ｙｐ方向（表側）から見た形と、図４（ｂ）の断面部分を矢印Ｙｑ方向（裏側）から見た形とが、内周側の端部４ａを除き、同一であることが容易に理解できる。
【００３２】
つまり、図４（ａ）の断面及び図４（ｂ）の断面は、端部４ａを除き、断面に垂直でかつ基準面８上に位置する軸について回転対称であるということができる。この回転対称性は上述のように、各半径方向位置ａ〜ｒにおける基準面８からの高さを、角度位置が１８０°変化した位置で反転するように徐々に変化させ、３６０°で１サイクルの高さ変化となるようにしたことに起因する。したがって、この回転対称性はＡ−Ａ線断面に限らず、中心軸７を通る如何なる断面においても成立する。つまり、コルゲーション４は、内周側の端部４ａを除き、表側から見た形状と裏側から見た形状とが等しい。
【００３３】
コルゲーションダンパ１を用いたスピーカの駆動に際し、スピーカのボイスコイルボビンの振動とともに、内周部２も中心軸７に沿って振動する。外周部３はスピーカフレームに固定されているので、振動はしない。したがって、内周部２の振動は、内周部２及び外周部３間のコルゲーション４を経て減衰され、外周部３によって支持される。その際、スピーカの性能を良好なものとするためには、コルゲーションダンパ１は、ボイスコイルから振動板に伝わる振動を、駆動信号に対するリニアリティを損なうことなく、極力正確に保持する必要がある。この点、コルゲーション４によれば、表側と裏側の形状が、接続するボイスコイルボビンに対して同一であるため、中心軸７方向のボイスコイルボビンの振動に対して作用する力が、表側及び裏側方向において同一となり、表裏両方向への振動にわたるリニアリティが良好に維持される。
【００３４】
図５及び図６はコルゲーションダンパ１の効果を従来のコルゲーションダンパの場合と比較して示す。図５では、従来のコルゲーションダンパについて、付与する錘の数を変えながら、外周部に対する内周部の変位を測定した結果が示されている。図中の５１は従来のコルゲーションダンパを表側方向に変位させた場合の変位を示すグラフ曲線であり、５２は裏側方向に変位させた場合の変化を示すグラフ曲線である。図６では、本実施形態に係るコルゲーションダンパ１について、付与する錘の数を変えながら、外周部３に対する内周部２の変位を測定した結果が示されている。図中の６１はコルゲーションダンパ１を表側方向に変位させた場合の変位を示すグラフ曲線であり、６２は裏側方向に変位させた場合の変化を示すグラフ曲線である。
【００３５】
図５に示すように、従来のコルゲーションダンパの場合には、錘の数に拘りなく常に、表側方向の変位（曲線５１）が、裏側方向の変位（曲線５２）に対し、一定の割合で大きいことがわかる。すなわち、従来のコルゲーションダンパにおいては、負荷される力に対し、変位が裏側方向と表側方向とで異なる。コルゲーションの山の動きを考えると、ボイスコイルが上方向（表側方向）に移動するときには、コルゲーションの頂部は外周方向へ傾くが、逆に下方向（裏側方向）に移動するときには、コルゲーションの頂部は内周側に動く。このような動きに起因して、ボイスコイルの上下運動に対し、コルゲーションダンパの変位は、上下方向で異なることになると考えられる。
【００３６】
これに対し、本実施形態に係るコルゲーションダンパ１の場合には、図６に示すように錘の数に拘りなく常に、表側方向の変位（曲線６１）と、裏側方向の変位（曲線６２）とがほぼ同一であることがわかる。コルゲーションダンパ１の場合、コルゲーション４の形状が、幾何学的に表側と裏側とで同一であるため、荷重に対する変位も上下方向で同一になると考えられる。したがって、上下方向にわたる変位のリニアリティが向上する。
【００３７】
さらに、コルゲーションダンパ１の場合、山の高さが周方向において一定である従来のコルゲーションダンパとは異なり、各半径方向位置ａ〜ｒにおいて、角度位置に応じて高さを変化させ、山や谷を形成するようにしてあるため、共振峰が出現し難く、歪の発生が抑制される。言い換えると、中心軸７を含むどの面においてもコルゲーション４の断面形状が異なり、従来のコルゲーションダンパのような回転体の形状とはなっていないので、共振が発生しにくい。
【００３８】
また、全体的に見ると、コルゲーション４においては、山が渦巻き状になって形成されている。たとえば図３に示すように、角度位置ａ４においてラインＯ上に存在する高さが最大の＋０．８［ｍｍ］である箇所は、角度位置ａ２においては１つ内側のラインＮ上に移動し、角度位置ａ３においてはさらに１つ内側のラインＭ上に移動するというように、山が渦巻き状になっている。したがって、コルゲーションダンパ１が適用されたスピーカの駆動時には、蝶ダンパに近い作用によって振動板の振動を支持することができる。したがって、コルゲーション４に加えられる負荷が、従来のコルゲーションダンパにおける同心円状のコルゲーションの場合に比べ、外周側にも分散されるので、屈曲疲労に対する耐性が高まる。
【００３９】
以上説明したように、本実施形態によれば、角度位置が変化するにつれて高さが０［ｍｍ］から徐々に変化し、最大の高さ＋０．８［ｍｍ］、高さ０［ｍｍ］、逆方向に最大の高さ−０．８［ｍｍ］をこの順序で経て、高さ０［ｍｍ］に戻るという３６０°で１サイクルの変化が、半径方向位置ａ〜ｒにおいて、順次９０°ずつ位相をずらしながら生じるような形態のコルゲーション４を採用したため、コルゲーション４を表裏同一形状とし、軸方向変位のリニアリティを向上させ、共振の発生を抑制し、かつ屈曲疲労に対する耐性を向上させることができる。
【００４０】
図７は本発明の第２の実施形態に係るコルゲーションダンパの斜視図である。同図においては中心軸７を含む面で半分に切断したコルゲーションダンパ７１が示されている。コルゲーションダンパ７１は内周部２及び外周部３の間に、同一断面でみれば上述のコルゲーション４よりも山の数が少ないコルゲーション７４を備える。図中のα〜ιは中心軸７を中心とする所定の各半径方向位置に対応するコルゲーション７４上の位置を示すラインである。各半径方向位置間の間隔は、上述の半径方向位置ａ〜ｒの場合と同様に等しい。
【００４１】
ラインα〜ιの高さは第１実施形態の場合と同様に＋８［ｍｍ］から−８［ｍｍ］の間で周期的に変化する。ただし、第１実施例においては角度位置が３６０°変化すると高さが１サイクル変化するのに対し、本実施形態では、３６０°で３サイクル変化する。このことは、中心軸７を含む面によるコルゲーション７４の断面形状として、３つずつ等しい断面が存在することを意味する。つまり、１２０°の角度位置の範囲内においては、同一の断面が存在しない。
【００４２】
図７の右側の切断面における角度位置を０°とすると、たとえば、ラインαの高さは、０°の角度位置では＋０．８［ｍｍ］、反時計回りに３０°変化した角度位置では０［ｍｍ］、６０°の角度位置では−０．８［ｍｍ］、９０°の角度位置では０［ｍｍ］、そして１２０°の角度位置では＋０．８［ｍｍ］に戻るというように、１２０°で１サイクル変化する。ラインβ〜ιはこれよりも順次２０°ずつ位相が遅れて変化する。たとえば、ラインδはラインαよりも６０°遅れているので、０°の角度位置における高さは−０．８［ｍｍ］である。ラインηは１２０°、すなわち丁度１サイクル遅れているので、０°の角度位置における高さはラインαの場合と同じ＋０．８［ｍｍ］である。
【００４３】
全体的に見ると、最も高い＋０．８［ｍｍ］の位置は、たとえば０°の角度位置におけるラインα上の位置から、２０°の角度位置におけるラインβ上の位置、４０°のラインγ上の位置、６０°のラインδ上の位置、８０°のラインε上の位置、１００°のラインζ上の位置、１２０°のラインη上の位置、１４０°のラインθ上の位置、１６０°のラインι上の位置というように、２０°毎に順次外側のライン上に移動してゆき、これにより１つの渦巻き状の山を形成している。そして各ラインの高さは３６０°で３サイクル変化するので、全体として、３つの渦巻き状の山又は谷（逆方向の山）が形成されている。したがって、第１実施例の場合と同様に、コルゲーションダンパ７１が適用されたスピーカの駆動時には、蝶ダンパに近い作用によって振動板の振動を支持し、屈曲疲労に対する耐性も高まる。
【００４４】
本実施形態によっても、第１実施形態の場合と同様に、コルゲーション７４の形状が、内周部２側の端部を除く主要部において、表と裏とで同一であり、１２０°の角度位置の範囲内においては同一の断面が存在せず、山が渦巻き状に形成されているため、軸方向変位のリニアリティを向上させ、共振の発生を抑制し、かつ屈曲疲労に対する耐性を向上させることができる。
【００４５】
なお、本発明は上述実施形態に限定されることなく、適宜変形して実施することができる。たとえば、上述においては言及しなかったが、口径が大きく、高い耐入力性が必要とされるスピーカにおいて本発明に係るコルゲーションダンパを用いる場合には、複数枚のコルゲーションダンパを用いるようにしてもよい。この場合、各コルゲーションダンパにおける起伏の向き、すなわち基準面に対する高さが同一となるように、又は反転するように、各コルゲーションダンパ間の角度位置を調整するようにしてもよい。また、各コルゲーションダンパとして、上述の位相のずれの方向が同一で、同一方向に上述の渦巻き状の山を形成している複数のものや、上述の位相のずれの方向が相互に逆方向で、相互に逆方向に上述の渦巻状の山を形成している複数のものを用いるようにしてもよい。
【００４６】
また、上述においては、各半径方向位置における高さの変化のサイクルが３６０°で１サイクルの場合及び３サイクルの場合について述べたが、これに限らず、３６０°で奇数サイクル変化するものであれば、３６０°で５サイクル等の変化を示すものであってもよい。
【００４７】
また、上述においては、各半径方向位置における周期的変化の位相は、内周側の径方向位置から外周側の径方向位置にかけて、９０°又は２０°だけ、一定の角度方向に順次ずれてゆく例について説明したが、この位相のずれ量としては、他の角度であってもよく、また、０°（ずれがない）であってもよい。
【００４８】
また、上述においては、半径方向位置ａ〜ｒの１８の半径方向位置、及びラインα〜ιの９つの半径方向位置において高さが周期的に変化するコルゲーションについて説明したが、これに限らず、他の数の半径方向位置において高さが周期的に変化するようなコルゲーションを採用するようにしてもよい。
【符号の説明】
【００４９】
１，７１：コルゲーションダンパ、２，８１：内周部、３，８２：外周部、４，７４：コルゲーション、４ａ：端部、５：山、６，６ａ，６ｂ：Ｒ尻線、７：中心軸、８：基準面、９，１０：接続部、３１，Ａ〜Ｒ，α〜ι：ライン、５１，５２，６１，６２：グラフ曲線、８３：アーム部、１０１：山、ａ１〜ａ４：角度位置、ａ〜ｒ：半径方向位置。
【図１】
0005413062.tif 000002
【図２】
0005413062.tif 000003
【図３】
0005413062.tif 000004
【図４】
0005413062.tif 000005
【図５】
0005413062.tif 000006
【図６】
0005413062.tif 000007
【図７】
0005413062.tif 000008
【図８】
0005413062.tif 000009
【図１０】
0005413062.tif 000010
【図９】
0005413062.tif 000011